【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後であって第１所定期間が経過する以前に行い、設定変更モードの終了から第１所定期間よりも長い第２所定期間が経過したことにより行うとともに、
算出されたデータに基づき遊技機の性能を表示する性能表示装置を備え、
設定情報表示手段は、設定情報を前記性能表示装置にて表示し、
前記設定情報表示手段は、前記設定情報の表示態様を、前記設定変更モードの終了の前後で異ならせることを特徴とする遊技機。
【請求項２】
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後であって第１所定期間が経過する以前に行い、設定変更モードの終了から第１所定期間よりも長い第２所定期間が経過したことにより行うとともに、
算出されたデータに基づき遊技機の性能を表示する性能表示装置を備え、
設定情報表示手段は、設定情報を前記性能表示装置にて表示し、
遊技中の遊技者が操作不能に配置された操作手段を備え、
前記設定情報表示手段は、前記第２所定期間が経過するより前に、前記操作手段の所定操作が為されたことに基づいて、前記第２所定期間の経過を待たずに設定情報の表示の終了を行うことを特徴とする遊技機。
【請求項３】
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後に即時行い、設定変更モードの終了から所定期間が経過したことにより行うとともに、
算出されたデータに基づき遊技機の性能を表示する性能表示装置を備え、
設定情報表示手段は、設定情報を前記性能表示装置にて表示し、
前記設定情報表示手段は、前記設定情報の表示態様を、前記設定変更モードの終了の前後で異ならせることを特徴とする遊技機。
【請求項４】
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後に即時行い、設定変更モードの終了から所定期間が経過したことにより行うとともに、
算出されたデータに基づき遊技機の性能を表示する性能表示装置を備え、
設定情報表示手段は、設定情報を前記性能表示装置にて表示し、
遊技中の遊技者が操作不能に配置された操作手段を備え、
前記設定情報表示手段は、所定期間が経過するより前に、前記操作手段の所定操作が為されたことに基づいて、所定期間の経過を待たずに設定情報の表示の終了を行うことを特徴とする遊技機。
【手続補正２】
【補正対象書類名】明細書
【補正対象項目名】０００７
【補正方法】変更
【補正の内容】
【０００７】
請求項１に記載の遊技機は、
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後であって第１所定期間が経過する以前に行い、設定変更モードの終了から第１所定期間よりも長い第２所定期間が経過したことにより行うとともに、
算出されたデータに基づき遊技機の性能を表示する性能表示装置を備え、
設定情報表示手段は、設定情報を前記性能表示装置にて表示し、
前記設定情報表示手段は、前記設定情報の表示態様を、前記設定変更モードの終了の前後で異ならせることを特徴とする。
【手続補正３】
【補正対象書類名】明細書
【補正対象項目名】０００８
【補正方法】変更
【補正の内容】
【０００８】
請求項１の発明によると、簡易に設定情報（設定値）を確認できる遊技機を得ることができる。つまり、設定変更モードでは、変更処理が完了した後、設定変更モードの終了から暫くの間（つまり、第２所定期間）は、現在の設定値の表示が維持されるので、余裕をもって変更結果を確認できる。そして、直前に行った変更を確認するために、わざわざ変更確認モードに移行する必要が無い。
また、設定を確認するための設定確認モードが終了すると、第２所定期間が経過するよりも短い時間で（第１所定期間の経過以前に）、現在の設定値の表示が終了されるので、出来るだけ秘匿したい設定情報（例えば、算用数字やアルファベット記号で示す設定値）を短い時間（第２所定期間に比べて短い時間）だけ表示することができる。
また、請求項１の発明によると、設定情報（設定値）の表示を行うための固有の装置を設ける必要がなくコストを抑えることができる。なお、設定情報（設定値）は、後述する遊技性能と同じく遊技者に対して秘匿することが好ましい情報である。そして、遊技性能を表示する性能表示装置は裏面側に設けられているため、該装置を設定値表示に兼用することが好適である。
また、請求項１の発明によると、設定変更モード中なのか、設定が確定して設定変更モード終了後の第２所定期間中なのか、を設定値の表示態様を異ならせることで、視覚的に一見して明らかに認知させることができる。
【手続補正４】
【補正対象書類名】明細書
【補正対象項目名】００１０
【補正方法】変更
【補正の内容】
【００１０】
請求項３に記載の遊技機は、
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後に即時行い、設定変更モードの終了から所定期間が経過したことにより行うとともに、
算出されたデータに基づき遊技機の性能を表示する性能表示装置を備え、
設定情報表示手段は、設定情報を前記性能表示装置にて表示し、
前記設定情報表示手段は、前記設定情報の表示態様を、前記設定変更モードの終了の前後で異ならせることを特徴とする。
【手続補正５】
【補正対象書類名】明細書
【補正対象項目名】００１１
【補正方法】変更
【補正の内容】
【００１１】
請求項３の発明は、請求項１の発明を限定した発明であり、設定確認モードが終了すると、即時、現在の設定値の表示を終了させるものである。
つまり、請求項３の発明によっても、設定変更モードでは、変更処理が完了した後、設定変更モードの終了から所定期間の間は、現在の設定値の表示が維持されるので、余裕をもって変更結果を確認できる。よって、直前に行った変更を確認するために、わざわざ変更確認モードに移行する必要が無い。
また、設定を確認するための設定確認モードが終了すると、即時、現在の設定値の表示が終了されるので、出来るだけ秘匿したい設定情報を必要最短の時間だけ表示することができる。
また、請求項３の発明によると、設定情報（設定値）の表示を行うための固有の装置を設ける必要がなくコストを抑えることができる。なお、設定情報（設定値）は、後述する遊技性能と同じく遊技者に対して秘匿することが好ましい情報である。そして、遊技性能を表示する性能表示装置は裏面側に設けられているため、該装置を設定値表示に兼用することが好適である。
また、請求項３の発明によると、設定変更モード中なのか、設定が確定して設定変更モード終了後の所定期間中なのか、を設定値の表示態様を異ならせることで、視覚的に一見して明らかに認知させることができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
請求項２に記載の遊技機は、
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後であって第１所定期間が経過する以前に行い、設定変更モードの終了から第１所定期間よりも長い第２所定期間が経過したことにより行うとともに、
算出されたデータに基づき遊技機の性能を表示する性能表示装置を備え、
設定情報表示手段は、設定情報を前記性能表示装置にて表示し、
遊技中の遊技者が操作不能に配置された操作手段を備え、
前記設定情報表示手段は、前記第２所定期間が経過するより前に、前記操作手段の所定操作が為されたことに基づいて、前記第２所定期間の経過を待たずに設定情報の表示の終了を行うことを特徴とする。
【手続補正１１】
【補正対象書類名】明細書
【補正対象項目名】００１７
【補正方法】変更
【補正の内容】
【００１７】
請求項２の発明によると、簡易に設定情報（設定値）を確認できる遊技機を得ることができる。つまり、設定変更モードでは、変更処理が完了した後、設定変更モードの終了から暫くの間（つまり、第２所定期間）は、現在の設定値の表示が維持されるので、余裕をもって変更結果を確認できる。そして、直前に行った変更を確認するために、わざわざ変更確認モードに移行する必要が無い。
また、設定を確認するための設定確認モードが終了すると、第２所定期間が経過するよりも短い時間で（第１所定期間の経過以前に）、現在の設定値の表示が終了されるので、出来るだけ秘匿したい設定情報（例えば、算用数字やアルファベット記号で示す設定値）を短い時間（第２所定期間に比べて短い時間）だけ表示することができる。
また、請求項２の発明によると、設定情報（設定値）の表示を行うための固有の装置を設ける必要がなくコストを抑えることができる。なお、設定情報（設定値）は、後述する遊技性能と同じく遊技者に対して秘匿することが好ましい情報である。そして、遊技性能を表示する性能表示装置は裏面側に設けられているため、該装置を設定値表示に兼用することが好適である。
また、請求項２の発明によると、性能表示装置を、性能表示と設定値の表示で兼用するので、設定値の変更後の確認が済んだのであれば、必要以上に設定値を表示し続けるのではなく、ホール従業員が任意に表示を終了させることができる。
遊技者に対して秘匿しておくべき設定値に係る表示を、必要が無くなったのであれば、早期に表示を終了させることで、設定値の情報が洩れてしまう危険を回避できる。
請求項４に記載の遊技機は、
始動口に遊技球が入球することに基づいて当否判定を実行する当否判定実行手段と、
該当否判定で大当りと判定されることに基づいて大当り遊技を実行する大当り遊技実行手段と、を備え、
前記当否判定で大当りと判定される判定確率として設定された確率を、所定の変更操作に基づいて異なる確率に変更可能な遊技機であって、
現在設定されている判定確率を特定する設定情報を、確認するためのモードであって確認終了処理の完了により終了する設定確認モードと、
前記判定確率を異なる判定確率に変更する際のモードであって変更処理の完了により終了する設定変更モードと、
前記設定変更モード中と前記設定確認モード中において現在設定されている判定確率を特定する設定情報を表示し、各モードの終了に基づいて表示を終了する設定情報表示手段と、
を備え、
前記設定情報表示手段は、前記設定情報の表示の終了を、設定確認モードの終了後に即時行い、設定変更モードの終了から所定期間が経過したことにより行うとともに、
算出されたデータに基づき遊技機の性能を表示する性能表示装置を備え、
設定情報表示手段は、設定情報を前記性能表示装置にて表示し、
遊技中の遊技者が操作不能に配置された操作手段を備え、
前記設定情報表示手段は、所定期間が経過するより前に、前記操作手段の所定操作が為されたことに基づいて、所定期間の経過を待たずに設定情報の表示の終了を行うことを特徴とする。
請求項４の発明によっても、設定変更モードでは、変更処理が完了した後、設定変更モードの終了から所定期間の間は、現在の設定値の表示が維持されるので、余裕をもって変更結果を確認できる。よって、直前に行った変更を確認するために、わざわざ変更確認モードに移行する必要が無い。
また、設定を確認するための設定確認モードが終了すると、即時、現在の設定値の表示が終了されるので、出来るだけ秘匿したい設定情報を必要最短の時間だけ表示することができる。
また、請求項４の発明によると、設定情報（設定値）の表示を行うための固有の装置を設ける必要がなくコストを抑えることができる。なお、設定情報（設定値）は、後述する遊技性能と同じく遊技者に対して秘匿することが好ましい情報である。そして、遊技性能を表示する性能表示装置は裏面側に設けられているため、該装置を設定値表示に兼用することが好適である。
また、請求項４の発明によると、性能表示装置を、性能表示と設定値の表示で兼用するので、設定値の変更後の確認が済んだのであれば、必要以上に設定値を表示し続けるのではなく、ホール従業員が任意に表示を終了させることができる。
遊技者に対して秘匿しておくべき設定値に係る表示を、必要が無くなったのであれば、早期に表示を終了させることで、設定値の情報が洩れてしまう危険を回避できる。